(57)【要約】【課題】映像記録再生装置は、テレビ受像機と一体化されたものや、別体のものでも、テレビ受像機とケーブル等で接続されているため、簡単に映像記録再生装置だけを切り離し、別の場所で別の表示装置を使って、映像コンテンツの再生、若しくは、持ち運び先の別のテレビ受像機が受信した映像コンテンツの録画ということが、簡単、迅速にできなかった。【解決手段】大容量のリムーバブルハードディスクを装着するスロットと、デジタル放送信号を受信する受信部と、受信部が受信したデジタル放送信号を映像コンテンツとしてスロットに装着されたリムーバブルハードディスクに録画するコントロール部とを備え、受信したデジタル放送信号若しくはリムーバブルハードディスクに録画された映像コンテンツを外部モニタに表示させるための出力端子を備える。【選択図】図７
2008306455.tif 000002
【特許請求の範囲】
【請求項１】
リムーバブルハードディスクを装着するスロットと、デジタル放送信号を受信する受信部と、受信部が受信したデジタル放送信号を映像コンテンツとして上記スロットに装着されたリムーバブルハードディスクに録画するコントロール部とを備えた映像記録再生装置であって、
上記受信部が受信したデジタル放送信号の映像コンテンツ若しくは上記スロットに装着されたリムーバブルハードディスクに録画された映像コンテンツのいずれかを外部モニタに表示させるための出力端子を備えたことを特徴とする映像記録再生装置。
【請求項２】
請求項１記載の映像記録再生装置において、更に、表示装置を備え、上記受信部が受信したデジタル放送信号の映像コンテンツ若しくは上記スロットに装着されたリムーバブルハードディスクに録画された映像コンテンツのいずれかを上記表示装置の表示部に表示することを特徴とする映像記録再生装置。
【請求項３】
請求項１または請求項２のいずれかに記載の映像記録再生装置において、
上記スロットとして、録画された映像コンテンツの管理用のリムーバブルハードディスクを装着するための第１のスロットと、映像コンテンツを録画するためのリムーバブルハードディスクを装着するための第２のスロットを備えたことを特徴とする映像記録再生装置。
【請求項４】
請求項３記載の映像記録再生装置において、上記第１のスロットに装着された上記管理用のリムーバブルハードディスクは、複数のリムーバブルハードディスクに録画された映像コンテンツのコンテンツ情報を、それぞれのリムーバブルハードディスク毎に検索できるように記録することを特徴とする映像記録再生装置。
【請求項５】
デジタル放送信号を受信し、受信したデジタル放送信号を映像コンテンツとしてスロットに装着されたリムーバブルハードディスクに録画し、上記受信したデジタル放送信号の映像コンテンツ若しくは上記リムーバブルハードディスクに録画された映像コンテンツのいずれかを外部モニタに表示させる映像記録再生方法であって、
第１のスロットに上記録画された映像コンテンツの管理用のリムーバブルハードディスクを装着し、第２のスロットに映像コンテンツを録画するためのリムーバブルハードディスクを装着し、
上記第１のスロットに装着された上記管理用のリムーバブルハードディスクは、複数のリムーバブルハードディスクに録画された映像コンテンツのコンテンツ情報を、それぞれのリムーバブルハードディスク毎に検索できるように記録することを特徴とする映像記録再生方法。
【発明の詳細な説明】
【技術分野】
【０００１】
本発明は、デジタル信号を記録再生可能な記録再生装置に関わり、特に、大容量のリムーバブルな媒体を利用して記録再生を行う記録再生装置に関わる。
【背景技術】
【０００２】
現在、次世代のテレビ放送として地上デジタルテレビ放送が開始されており、高品質、高密度の映像と音声（本書では以降、音声のあるなしに関わらず、音声を含めて映像コンテンツと称する）が家庭で受信できるようになってきている。しかし、アナログ放送、デジタル放送の違いによらず、視聴者が放送される番組（映像コンテンツの１つ）をレコーダ等に録画する必要性は減少することはない。むしろ、デジタル放送になって、画質の向上、大画面化、高精細化が一段と進んだことにより、大容量の記録媒体が必要になって来つつある。
【０００３】
また、アナログ放送の場合でも、従来から、テレビ受像機に直接レコーダを接続して、テレビ受像機の受信した映像コンテンツを録画し再生する映像記録再生装置が使用されていた（特許文献１参照。）。また、記録再生装置には、近年、ハードディスク等の磁気記憶媒体、ＤＶＤ（ Digital Versatile Disc ）若しくはブルーレイディスク等の光ディスク、又は、半導体メモリが大容量の記録媒体として使用されるようになってきている。
【特許文献１】特開平１０−２７１４３２号公報
【発明の開示】
【発明が解決しようとする課題】
【０００４】
上述の映像記録再生装置は、テレビ受像機と一体化されたものは勿論、テレビ受像機と別に設けた映像記録再生装置であっても、テレビ受像機とケーブル等で接続されているため、簡単に映像記録再生装置だけ取り外しができなかった。
このため、別の場所に持ち運び、別の表示装置を使って、録画された映像コンテンツを再生する、若しくは、持ち運び先の別のテレビ受像機が受信した映像コンテンツを録画するということが、簡単、迅速にできない問題があった。
【０００５】
また、テレビ受像機と一体若しくは別体どちらであっても、映像記録再生装置に内蔵の記録媒体に映像を録画しておくことは、それらの装置が共通に使用されることが多い家庭内の場合には、他の家族が操作できるため、勝手に若しくは無意識に消去してしまう問題があった。
更に、リムーバブルな記録媒体だけを持ち運び、別の場所の映像再生装置で録画されている映像コンテンツを再生することは可能である。しかし、録画された映像コンテンツを他の記憶媒体にコピーしなければならず、コピーする記録媒体の容量が小さいと、所望の映像コンテンツのデータ全てについて複数の記録媒体が無いと持ち運びが困難であるという問題があった。更に、記録媒体にコピー（記録）された形式を再生できない機器では、せっかく持ち出しても録画された映像コンテンツを再生できない問題があった。
【０００６】
本発明の目的は、上記のような問題を解決し、簡単に持ち運び可能な映像記録再生装置を提供することにある。
【課題を解決するための手段】
【０００７】
上記の目的を達成するため、本発明の映像記録再生装置は、リムーバブルハードディスクを装着するスロットと、デジタル放送信号を受信する受信部と、受信部が受信したデジタル放送信号を映像コンテンツとしてスロットに装着されたリムーバブルハードディスクに録画するコントロール部とを備えた映像記録再生装置であって、受信部が受信したデジタル放送信号の映像コンテンツ若しくはスロットに装着されたリムーバブルハードディスクに録画された映像コンテンツのいずれかを外部モニタに表示させるための出力端子を備えたことを特徴とする。
上記映像記録再生装置は、更に、表示装置を備え、受信部が受信したデジタル放送信号の映像コンテンツ若しくはスロットに装着されたリムーバブルハードディスクに録画された映像コンテンツのいずれかを表示装置の表示部に表示することを特徴とする。
また好ましくは、スロットとして、録画された映像コンテンツの管理用のリムーバブルハードディスクを装着するための第１のスロットと、映像コンテンツを録画するためのリムーバブルハードディスクを装着するための第２のスロットを備えたものである。
また好ましくは、第１のスロットに装着された管理用のリムーバブルハードディスクは、複数のリムーバブルハードディスクに録画された映像コンテンツのコンテンツ情報を、それぞれのリムーバブルハードディスク毎に検索できるように記録するものである。
【０００８】
また本発明の映像記録再生方法は、デジタル放送信号を受信し、受信したデジタル放送信号を映像コンテンツとしてスロットに装着されたリムーバブルハードディスクに録画し、受信したデジタル放送信号の映像コンテンツ若しくはリムーバブルハードディスクに録画された映像コンテンツのいずれかを外部モニタに表示させる映像記録再生方法であって、第１のスロットに録画された映像コンテンツの管理用のリムーバブルハードディスクを装着し、第２のスロットに映像コンテンツを録画するためのリムーバブルハードディスクを装着し、第１のスロットに装着された管理用のリムーバブルハードディスクは、複数のリムーバブルハードディスクに録画された映像コンテンツのコンテンツ情報を、それぞれのリムーバブルハードディスク毎に検索できるように記録するものである。
【発明の効果】
【０００９】
本発明によれば、リムーバブルな記録媒体特にリムーバブルなハードディスクに、地上デジタル放送の映像コンテンツを、どこでも簡単に記録可能かつ再生可能な映像記録再生装置を提供することができる。
【発明を実施するための最良の形態】
【００１０】
図１によって、本発明の一実施形態の映像記録再生装置を説明する。図１は、本発明の一実施例の映像記録再生装置の構成を示すブロック図である。１００は映像記録再生装置、１０１はテレビ放送を受信するアンテナ、１０２は入力端子、１０３はチューナ、１０４は復調部、１０５はコントローラ、１０６はＬＶＤＳ（ Low Voltage Differential Signaling ）レシーバ、１０７はＨＤＭＩ（ High-Definition Multimedia Interface ）出力変換部、１０８はバッファ、１０９は音声デジタル−アナログ変換（ Audio D/A Converter ）部、１１０はＨＤＭＩ出力端子、１１１はビデオ信号出力端子、１１２は音声信号出力端子、１１３と１１５はリムーバブルハードディスクのスロット、１１４と１１６はリムーバブルハードディスク１１３と１１５それぞれのインジケータ、１１８はＡＣアダプタ、１１９はＡＣアダプタ１１８入力端子、１２０はＤＣ電源変換部、１２１はリモコン受光部、１２２は電源用インジケータ、１２３はサブコントローラ、１２４はリモコンである。
【００１１】
図１の映像記録再生装置１００には、地上デジタルテレビ放送を受信するためのアンテナ１０１が接続され、かつ、ＡＣ電源を供給するためのＡＣアダプタ１１８が接続されている。ＡＣアダプタ１１８はＡＣ電源電力をＤＣ５Ｖ／３Ａに変換して入力端子１１９を介してＤＣ電源変換部（ＤＣ−ＤＣコンバータ）１２０に出力する。ＤＣ電源変換部１２０は、入力されたＤＣ電圧を所要のＤＣ電圧に変換し、映像記録再生装置１００の所要の構成要素に供給する。
【００１２】
アンテナ１０１は、地上デジタルテレビ放送の電波を受信して、入力端子１０２を介してチューナ１０３に出力する。チューナ１０３はコントローラ１０５の制御により、所望のチャンネルの放送波を抽出してコントローラ１０５に出力する。コントローラ１０５は入力された放送波の映像をデコードし、映像コンテンツとする。デコードされる映像形式は、例えば、ＭＰＥＧ−２や、Ｈ．２６４等の形式である。コントローラ１０５は、デコードし映像コンテンツとした映像の映像部分を、ＬＶＤＳ信号でＬＶＤＳレシーバ１０６を介してＨＤＭＩ出力端子変換部１０７に出力し、音声部分をＳ／Ｐ ＤＩＦ形式でＨＤＭＩ出力端子変換部１０７に出力する。ＨＤＭＩ出力端子変換部１０７は映像部分のデータと音声部分のデータをＨＤＭＩ出力端子１１０から出力する。
またコントローラ１０５は、デコードし映像コンテンツとした映像の映像部分を、バッファ１０８を介してアナログビデオ信号としてビデオ信号出力端子１１１から出力し、また音声部分を音声デジタル−アナログ変換部１０９でアナログ信号に変換して音声信号出力端子１１２から出力する。
【００１３】
リモコン受光部１２１は、ユーザが操作するリモコン１２４から操作のための赤外線を受光し、サブコントローラ１２３に出力する。サブコントローラ１２３は、サブコントローラ１２３内のメモリを参照して、入力された赤外線信号の種類に応じた制御信号としてコントローラ１０５に出力する。電源用インジケータ１２２は、映像記録再生装置１００の電源がオンになっているとコントローラ１０５が判定した場合に、コントローラ１０５からの信号によりサブコントローラ１２３を介して点灯する。
【００１４】
スロット１１３とスロット１１５は、共に、リムーバブルな大容量の記録媒体、例えば、ハードディスクを挿入できる。ユーザは、リモコン１２４を操作することによって、所望のスロットの記録媒体に映像記録再生装置１００が受信したテレビ放送の映像コンテンツを録画することができる。またユーザは、リモコン１２４を操作することによって、所望のスロットの記録媒体に装着された記録媒体に録画された映像コンテンツを再生し、出力端子１１０〜１１２から出力することにより、視聴することができる。なお、インジケータ１１４は、スロット１１３がアクティブな状態のときに点灯し、インジケータ１１６は、スロット１１５がアクティブな状態のときに点灯する。インジケータ１１４及び１１６並びに１２２は、例えば、ＬＥＤ（ Light Emitting Diode ）である。
【００１５】
なお、図１の実施例の出力端子は、一例であり、例えば、ＲＣＡ端子、Ｓ端子、コンポーネント端子、ＨＤＭＩ端子、ＵＳＢ端子等のインターフェイスの少なくともいずれか１つを装備していれば良い。
また、図１の実施例では、映像はＭＰＥＧ−２若しくはＨ．２６４形式でデコードした。このように、符号化された映像をデコードする機能を映像記録再生装置は、必ず備えている。また、音声はＳ／Ｐ ＤＩＦ形式の伝送形式で出力しているが、同様に、所定のエンコード形式で符号化されている音声を同じ形式でデコードする場合のため、同形式でデコードする機能を備えていることになる。
【００１６】
図２によって、図１のブロック図で示した映像記録再生装置の外観構造を説明する。図２は、本発明の映像記録再生装置の一実施例の外観を示す斜視図である。図２（ａ）はスロット数が２の映像記録再生装置、図２（ｂ）はスロット数が１の映像記録再生装置である。１００−１と１００−２は映像記録再生装置、１１３−１、１１５−１、及び、１１７−１は、リムーバブルハードディスクのスロット、２０−１、２０−２、及び、２０−３は、それぞれリムーバブルハードディスクである。
なお、リムーバブルハードディスク２０−１、２０−２、及び、２０−３の最大記憶容量は同一であっても異なっていても良い。
【００１７】
図２では、装置の外観とスロット以外の部分は省略している。
図２（ａ）は、リムーバブルハードディスク２０−１と２０−２を装着できるようにリムーバブルハードディスクのスロットが２つある（スロット１１３−１及び１１５−１）。また、図２（ｂ）は、リムーバブルハードディスク２０−３を装着できるようにリムーバブルハードディスクのスロットが１つある（スロット１１７−１）。
【００１８】
図１若しくは図２の実施例にあるように、テレビチューナを設けることで、放送中のテレビ番組を視聴したり、リムーバブルな記録媒体に録画することができる。また、スロットが１つだけなので、小型で低価格の映像記録再生装置が提供できる。複数スロットを有する映像記録再生装置より更に小型なので、持ち運びもより簡単である。このため、リムーバブルハードディスクを使用できない外部モニタのところに持っていって接続再生して視聴可能であり、また、テレビチューナを内蔵するため、どこでも、テレビ放送の映像コンテンツをリムーバブルハードディスクに録画できる。例えば、外部モニタとしては、車載用のカーナビゲーションの画面等が考えられる。
【００１９】
図１若しくは図２において、映像記録再生装置の再生映像の表示、若しくは、記録中の映像の表示は、出力端子１１０〜１１２（図１参照）にケーブルで接続して、表示装置、例えば、テレビ受像機、又はその他の表示装置を使って表示させていた。しかし、本発明の一実施例として、液晶モニタ等の表示部を一体化して取り付けた構成の映像記録再生装置を図３によって説明する。
図３は、本発明の表示部を設けた構成の映像記録再生装置の外観斜視図である。図３（ａ）は、表示部を本体上部に折りたたんだ状態を示す斜視図、図３（ｂ）は、表示画面を見えるように立てた状態を示す斜視図である。１００−３は映像記録再生装置、３０１は表示部、３０２は表示部３０１の表示画面である。
【００２０】
図３においても、図２と同様に、装置の外観とスロット、及び表示部以外の部分は省略している。
表示部３０１の表示部３０２は見る必要が無い時、例えば、使用しないときや運搬時には、図３（ａ）に示すように映像記録再生装置１００−３本体にたたまれている。ユーザが表示部３０２で映像コンテンツを視聴したい時には、図３（ｂ）に示すように、表示部３０１が立てられ、表示画面３０２がユーザに見えるようになる。なお、特に述べていないが、通常、音声出力部（スピーカ、等）を備えている。
【００２１】
図４によって、図３に示した映像記録再生装置の別の実施例を説明する。図４は、本発明の映像記録再生装置の一実施例の外観を示す斜視図で、図３の実施例とは、表示部の取り付け形態が異なる。１００−４は映像記録再生装置、３０１−１は表示部、３０２−１は表示部３０１−１の表示画面、３０３は回転結合部である。
【００２２】
図４においても、図２及び図３と同様に、装置の外観とスロット、及び表示部以外の部分は省略している。
図４の実施例では、表示部３０１−１の表示部３０２−１は見る必要が無い時には、図示しないが、図３（ａ）と全く同様に、表示部３０２−１を下にして、映像記録再生装置１００−４本体にたたまれている。ユーザが表示部３０２−１で映像コンテンツを視聴したい時には、先ず、図４（ａ）の矢印（１）に示すように、表示部３０１―１を回転結合部表示部３０１を中心に立ち上げ、矢印（２）に示すように、更に回転させて、図４（ｂ）に示すように固定することで、表示画面３０２−１がユーザに見えるようになる。なお、図５は、図４の実施例の映像記録再生装置１００−４の正面図である。また、表示部３０１−１及びその表示画面３０２−１等のサイズ例（単位：［ｍｍ］）を示す。なお、図４、図５の実施例では、奥行きは２８７［ｍｍ］である。
【００２３】
図６は、本発明の別実施形態の映像記録再生装置を説明する。図６は、本発明の一実施例の映像記録再生装置の構成を示すブロック図である。図１と同一の機能の構成要素には同一の参照番号が付せられている。その他、１００−４は本発明の一実施例の映像記録再生装置、３００は液晶モニタ、１２０−１はＤＣ−ＤＣコンバータ、１２０−２は内蔵のバッテリである。
図６において、図１と同様の番号を付した構成要素は、図１で説明した機能を有する他、コントローラ１０５は、液晶モニタ３００とＤＣ−ＤＣコンバータ１２０−１とバッテリ１２０−２を制御する。
【００２４】
液晶モニタ３００は、外付けのテレビ受像機に映像コンテンツを表示するために、出力端子１１０〜１１２から出力するものとは別に、コントローラ１０５から出力されるＬＶＤＳ信号を受け取り表示画面に映像コンテンツを表示する。なお、特に述べていないが、通常、スピーカ等の音声出力部を備えている。
ＡＣアダプタ１１８はＡＣ電源電力をＤＣ５Ｖ／３Ａに変換して入力端子１１９を介してＤＣ−ＤＣコンバータ１２０−１に出力する。ＤＣ−ＤＣコンバータ１２０−１は、入力されたＤＣ電圧を所要のＤＣ電圧に変換し、映像記録再生装置１００−４の所要の構成要素に供給すると共に、ＤＣ−ＤＣコンバータ１２０−１は、バッテリ１２０−２の充電を行う。また、ＤＣ−ＤＣコンバータ１２０−１は、入力端子１１９からの供給が所定の電力未満になった場合には、バッテリ１２０−２から電力をもらって、所要のＤＣ電圧に変換し、映像記録再生装置１００−４の所要の構成要素に供給する。
【００２５】
上述の実施例のように、映像記録再生装置に表示部（モニタ）が付属しているので、外部のテレビ受像機や表示装置に接続することなく、映像記録再生装置単体で、録画した映像コンテンツ若しくは、録画中の映像コンテンツをユーザはいつでも、どこでも簡単に視聴することができる。付属したモニタを使用する場合は、格納したモニタを見やすい状態に展開することで画面に画像が表示され、スピーカまたはヘッドホンに音声が出力される。例えば、部屋を移動中、外出時、屋外や車内等でも視聴可能である。
また、据え置き時や移動の際は、表示部を格納してコンパクトな状態となる。そして、外部モニタを接続して視聴する場合には、このままの状態で操作可能である。
なお、上記実施例では、表示部は本体上部に取り付けられているが、この場所以外でも、本実施例に限らず、どのように取り付けてもかまわないことは自明である。また、上記実施例では、表示部及び表示画面の大きさも本体の上面部の大きさとほぼ同一であるが、本実施例に限らず、どのような大きさでも良いことは自明である。
また、表示画面の表示画像を９０度ずつ回転可能とし、再生された映像コンテンツ若しくは受信したテレビ放送の映像を、ユーザが所望の向きに設定できるようにしても良い。
【００２６】
次に、図７を用いて、本発明の一実施形態を説明する。図７は、本発明の映像記録再生装置において、映像コンテンツのコンテンツ情報をインデックスとして保存する方法について説明するための模式図である。１００−１′は映像記録再生装置、１１３−１と１１５−１はスロット、２０―４はリムーバブルハードディスク（ＶＲ＃０）、２０―５はリムーバブルハードディスク（ＶＲ＃１）、２０―６はリムーバブルハードディスク（ＶＲ＃２）、２０―７はリムーバブルハードディスク（ＶＲ＃３）、７０１はリムーバブルハードディスク（ＶＲ＃０）２０−４のデータ構造、７０２はリムーバブルハードディスク（ＶＲ＃１）２０−５のデータ構造、７０１−０はリムーバブルハードディスク（ＶＲ＃０）２０−４内のリムーバブルハードディスク（ＶＲ＃０）２０−４のコンテンツ情報を記録するデータ領域、７０１−１はリムーバブルハードディスク（ＶＲ＃０）２０−４内のリムーバブルハードディスク（ＶＲ＃１）２０−５のコンテンツ情報を記録するデータ領域、７０１−２はリムーバブルハードディスク（ＶＲ＃０）２０−４内のリムーバブルハードディスク（ＶＲ＃２）２０−６のコンテンツ情報を記録するデータ領域、７０１−３はリムーバブルハードディスク（ＶＲ＃０）２０−４内のリムーバブルハードディスク（ＶＲ＃３）２０−７のコンテンツ情報を記録するデータ領域、７０２−１はリムーバブルハードディスク（ＶＲ＃１）２０−５内の録画データ１を録画したデータ領域、７０２−２はリムーバブルハードディスク（ＶＲ＃１）２０−５内の録画データ２を録画したデータ領域、７０２−３はリムーバブルハードディスク（ＶＲ＃１）２０−５内の録画データ３を録画したデータ領域、７０２−４はリムーバブルハードディスク（ＶＲ＃１）２０−５内の録画データ４を録画したデータ領域である。ここで、ＶＲ＃０〜ＶＲ＃３は、それらリムーバブルハードディスクを特定するための識別コードである。
【００２７】
図７の実施例では、複数（２つ）のスロットに装着した複数（２つ）のリムーバブルハードディスクのうち、１つのスロットに装着したリムーバブルハードディスクに録画した映像コンテンツのコンテンツ情報を他のスロットに装着したリムーバブルハードディスクに記録するようにしたものである。
即ち、図７において、まず、コンテンツ録画を、映像記録再生装置１００−１′のスロット１１５−１に装着したリムーバブルハードディスク（ＶＲ＃１）２０−５で行う。このとき、別のスロット１１３−１に装着したリムーバブルハードディスク（ＶＲ＃０）２０−４には、リムーバブルハードディスク（ＶＲ＃１）２０−５で録画中のタイトルや録画日時、録画時間などのコンテンツ情報とリムーバブルハードディスク（ＶＲ＃１）２０−５をその他のリムーバブルハードディスクと区別するための識別コードを記録しておく。
リムーバブルハードディスク（ＶＲ＃０）２０−４は、リムーバブルハードディスク（ＶＲ＃１）２０−５に録画された映像コンテンツのコンテンツ情報を管理する。しかし、実際の映像コンテンツの録画や再生、削除はリムーバブルハードディスク（ＶＲ＃１）２０−５側で行う。リムーバブルハードディスク（ＶＲ＃０）２０−４には、リムーバブルハードディスク（ＶＲ＃１）２０−５の他、ユーザが所有する複数のリムーバブルハードディスク（例えば、リムーバブルハードディスク（ＶＲ＃２）２０−６、リムーバブルハードディスク（ＶＲ＃３）２０−７、‥‥‥）に録画したコンテンツ情報も保管することで、どのリムーバブルハードディスクにどんな映像コンテンツが存在するのかがライブラリ管理でき、目的とするコンテンツの検索が容易となる。
【００２８】
上記図７と図２の映像記録再生装置では、２台のスロットのうち、一方のスロットに装着したリムーバブルディスクを映像コンテンツの録画の際に使用し、他方のスロットに装着したリムーバブルディスクへは、もっぱら前述の録画中の映像コンテンツのコンテンツ情報をインデックス情報として記録する。インデックス情報を記録するリムーバブルディスクをコンテンツ録画再生用のリムーバブルディスクと区別しておき、映像記録再生装置の一方のスロットに常時装着しておくことで、映像コンテンツを録画したリムーバブルディスクの再生時に、ユーザは、このインデックス情報を記録するリムーバブルディスクの中身を表示させることによって若しくは検索することによって、所望の映像コンテンツが録画されているリムーバブルディスクを特定することができる。また更に、現在他方のスロットに装着されているリムーバブルディスクに何が格納されているかも、インデックスとして参照することで何の映像コンテンツがあるかを容易に知ることができる。
【００２９】
リムーバブルハードディスク（ＶＲ＃０）２０−４以外のリムーバブルハードディスクでは、映像コンテンツのインデックス情報を持たせないことで、リムーバブルハードディスクを友人宅などで再生するなどの際に、他人に自分の録画履歴を見られないようにすることができる。
【００３０】
次に、図８のインデックス情報の表示例を参照して、図７と図２によって説明したインデックス情報について、更に説明する。図８は、外付け若しくは内蔵のモニタの表示画面に表示されたインデックス情報の一例である。８０１はライブラリ表示画像、８０２はライブラリの最終更新日の表示、８０３はリムーバブルハードディスク特定するための識別コードで示したリムーバブルハードディスクの一覧表示部、８０４は識別コード表示部、８０５−１は上カーソル、８０５−２は下カーソル、８０６は一覧表示部８０３で指定された１つのリムーバブルハードディスクのインデックス情報表示部である。
【００３１】
ユーザは、リモコンを操作して、ライブラリを表示させ、所望の映像コンテンツが録画されているリムーバブルハードディスクを捜索する。以下、ユーザの操作は、表示画面の表示画像８０１を見ながらリモコン操作で行う。
例えば、表示画像８０１の一覧表示部８０３から１つのリムーバブルハードディスクを示す識別コードを選択すると、インデックス情報部８０６にそのリムーバブルハードディスクのインデックス情報が表示される。図８では、録画日（月、日、曜日）、開始時間（ＡＭ又はＰＭの表示と時間、分）、録画時間（時間、分）、映像コンテンツの番組名、等である。
もし、ここで、所望の映像コンテンツが録画されているリムーバブルハードディスクが、他方のスロットに装着されていれば、ユーザは、直接、他方のスロットを操作して、再生を開始することができる。例えば、現在表示されているライブラリのインデックス情報部８０６の所望の映像コンテンツの行をリモコンで選択することによって、再生を開始できる。
【００３２】
なお、上記実施例では、一方のスロットを映像コンテンツのコンテンツ情報を記録させるリムーバブルディスク専用とし、かつ、リムーバブルディスクについても、映像コンテンツ録画専用とインデックス情報記録専用と区別した。
しかし、大容量の記録媒体では、その必要はなく、１つのスロットをインデックス情報専用にしなくても良いし、インデックス情報記録用リムーバブルディスクに映像コンテンツを録画しても良い。
【００３３】
上記の一実施形態を、図９によって説明する。図９は、本発明の映像記録再生装置において、映像コンテンツのコンテンツ情報をインデックスとして保存する方法について説明するための模式図である。１００−１″は映像記録再生装置、１１３−１と１１５−１はスロット、２０―５′はリムーバブルハードディスク（ＶＲ＃１）、７０２′はリムーバブルハードディスク（ＶＲ＃１）２０−５のデータ構造、７０１−１はリムーバブルハードディスク（ＶＲ＃１）２０−５′のコンテンツ情報を記録するデータ領域、７０２−１はリムーバブルハードディスク（ＶＲ＃１）２０−５内の録画データ１を録画したデータ領域、７０２−２はリムーバブルハードディスク（ＶＲ＃１）２０−５内の録画データ２を録画したデータ領域、７０２−３はリムーバブルハードディスク（ＶＲ＃１）２０−５内の録画データ３を録画したデータ領域である。
【００３４】
図９に示すように、１つのリムーバブルハードディスクにインデックス情報等のコンテンツ情報を記録しつつ、映像コンテンツを録画しても良い。
また、１つのリムーバブルディスクにおいて、インデックス情報を他人に秘密にするために、パスワードを設定するようにしても良い。
図９の実施例によれば、一方のスロットに装着されたリムーバブルハードディスクに録画を行っている最中に、他方のスロットに装着されたリムーバブルハードディスクから録画された映像コンテンツを再生することが可能となる。
【００３５】
更に、図９の実施例について、更に、図７のように、共通の管理用リムーバブルハードディスクを設け、共通の管理用リムーバブルハードディスクには、録画された映像コンテンツのコンテンツ情報を、それぞれのリムーバブルハードディスクの識別コードをつけて記録しておくこともできる。これによって、各々のリムーバブルハードディスクは、夫々、自身リムーバブルハードディスクのコンテンツ情報を確認でき、さらに共通の管理用リムーバブルハードディスクによって、どのリムーバブルハードディスクにどんな映像コンテンツが録画されているかが検索できる。
【００３６】
上記実施例では、主に、１スロット若しくは２スロットを備えた映像記録再生装置について説明した。しかし、本発明の映像記録再生装置のスロット数は、それだけに限らず、スロット数がいくつであっても良いことは言うまでもない。また、本発明の映像記録再生装置内に、更にハードディスクが内蔵されていても良く、更に、内蔵されているハードディスクが、上述の実施例で言う管理用のリムーバブルディスクと同様の機能を併せ持っていても良い。このように、内蔵のハードディスクを有することで、本発明の映像記録再生装置は、１スロットだけを有していても良い。
【００３７】
本発明の映像記録再生装置について、上述のように説明をした。
本発明の映像記録再生装置の他の実施形態について、更に言及する。
本発明の映像記録再生装置は、小型軽量で持ち運びに優れている。そして、記録及び再生に使用するリムーバブルハードディスクは、記憶容量が極めて大容量である。従って、アプリケーション用のリムーバブルハードディスク、若しくはコンテンツの入ったリムーバブルハードディスクを交換することによってさまざまなコンテンツ形式の再生用途に転用可能である。
【図面の簡単な説明】
【００３８】
【図１】本発明の一実施例の映像記録再生装置の構成を示すブロック図。
【図２】本発明の映像記録再生装置の一実施例の外観を示す斜視図。
【図３】本発明の映像記録再生装置の一実施例の外観を示す斜視図。
【図４】本発明の映像記録再生装置の一実施例の外観を示す斜視図。
【図５】本発明の映像記録再生装置の一実施例の外観を示す斜視図。
【図６】本発明の一実施例の映像記録再生装置の構成を示すブロック図。
【図７】本発明の一実施例のコンテンツ情報の保存方法について説明するための模式図。
【図８】本発明の一実施例のモニタの表示画面に表示されたインデックス情報の一例を示す図。
【図９】本発明の一実施例のコンテンツ情報の保存方法について説明するための模式図。
【符号の説明】
【００３９】
２０−１〜２０−７：リムーバブルハードディスク、１００，１００−１，１００−１′，１００−１″，１００−２，１００−３，１００−４：映像記録再生装置、  １０１：アンテナ、  １０２：入力端子、  １０３：チューナ、  １０４：復調部、  １０５：コントローラ、  １０６：ＬＶＤＳレシーバ、  １０７：ＨＤＭＩ出力変換部、  １０８：バッファ、  １０９：音声デジタル−アナログ変換部、  １１０：ＨＤＭＩ出力端子、  １１１：ビデオ信号出力端子、  １１２：音声信号出力端子、  １１３，１１３−１，１１５，１１５−１，１１７−１：スロット、  １１４，１１６：インジケータ、  １１８：ＡＣアダプタ、  １１９：入力端子、  １２０：ＤＣ電源変換部、  １２０−１：ＤＣ−ＤＣコンバータ、  １２０−２：バッテリ、  １２１：リモコン受光部、  １２２：電源用インジケータ、  １２３：サブコントローラ、  １２４：リモコン、  ３００：液晶モニタ、  ３０１，３０１−１：表示部、  ３０２，３０２−１：表示画面、  ３０３：回転結合部、  ８０１：ライブラリ表示画像、  ８０２：ライブラリの最終更新日の表示、  ８０３：一覧表示部、  ８０４：識別コード表示部、  ８０５−１：上カーソル、  ８０５−２：下カーソル、  ８０６：インデックス情報表示部。
【図１】
2008306455.tif 000003
【図２】
2008306455.tif 000004
【図３】
2008306455.tif 000005
【図４】
2008306455.tif 000006
【図５】
2008306455.tif 000007
【図６】
2008306455.tif 000008
【図７】
2008306455.tif 000009
【図８】
2008306455.tif 000010
【図９】
2008306455.tif 000011